(57)【要約】【課題】  製品の反り変形を少ない演算量で正確に予測する。【解決手段】  製品のＣＡＤデータに基づいて作成されたシェル要素から成る有限要素モデルに対し２．５次元の流動解析を行って当該製品各部の温度分布を予測し、前記製品のＣＡＤデータに基づいて作成された前記製品の角部の断面形状の２次元平面ひずみ要素から成る有限要素モデルに対し、当該予測された温度分布を初期条件として変形解析を行って当該断面形状の形状変化を演算し、前記シェル要素から成る有限要素モデルを前記断面形状の形状変化に基づいて修正し、修正後の有限要素モデルに対し２．５次元の流動解析を行って前記製品の反り変形を演算し、当該反り変形が反映された前記製品の最終的な形状を表示する。【選択図】            なし【特許請求の範囲】
【請求項１】
製品のＣＡＤデータに基づいて作成されたシェル要素から成る有限要素モデルに対し２．５次元の流動解析を行って当該製品各部の温度分布を予測する段階と、
前記製品のＣＡＤデータに基づいて作成された前記製品の角部の断面形状の２次元の平面ひずみ要素から成る有限要素モデルに対し、当該予測された温度分布を初期条件として変形解析を行って当該断面形状の形状変化を演算する段階と、
前記シェル要素から成る有限要素モデルを前記断面形状の形状変化に基づいて修正し、修正後の有限要素モデルに対し２．５次元の流動解析を行って前記製品の反り変形を演算する段階と、
当該反り変形が反映された前記製品の最終的な形状を表示する段階と、
を含むことを特徴とする射出成形品の変形解析方法。
【請求項２】
前記製品各部の温度分布を予測する段階は、
前記製品のＣＡＤデータに基づいて前記製品の肉厚中心の基準平面にシェル要素から成る有限要素モデルを作成する段階と、
当該シェル要素から成る有限要素モデルに対して２．５次元の流動解析を行って前記製品各部の温度分布を予測する段階と、
を含むことを特徴とする請求項１に記載の射出成形品の変形解析方法。
【請求項３】
前記断面形状の形状変化を演算する段階は、
前記製品のＣＡＤデータに基づいて前記製品の角部の断面形状の２次元の平面ひずみ要素から成る有限要素モデルを作成する段階と、
前記２次元の平面ひずみ要素から成る有限要素モデルに対して前記製品各部の温度分布を予測する段階で予測された温度分布を初期条件として変形解析を行って前記製品の角部の断面形状の形状変化を演算する段階と、
演算された形状変化をデータベースとして記憶する段階と、
を含むことを特徴とする請求項１に記載の射出成形品の変形解析方法。
【請求項４】
データベースとして記憶される形状変化は、前記製品の角部の断面の縦の長さｔ１、横の長さｔ２、成形金型の温度Ｔｍ、前記製品の角部の熱伝導率λに対する前記製品の角部の断面形状の角度変化であることを特徴とする請求項３に記載の射出成形品の変形解析方法。
【発明の詳細な説明】
【技術分野】
【０００１】
本発明は、たとえば樹脂などの射出成形品の反り変形を少ない演算量で正確に予測することができる、射出成形品の変形解析方法に関する。
【背景技術】
【０００２】
射出成形樹脂部品の反り変形を予測する一般的な手法としては、２．５Ｄ（２．５次元）反り変形解析手法および３Ｄ（３次元）反り変形解析手法がある。
【０００３】
２．５Ｄ反り変形解析手法は、製品の肉厚中心の基準平面にメッシュ状のシェルモデルを作成し、２．５Ｄ反り変形解析ソフトを用いて、樹脂流動解析によりその製品を射出成形型から取り出した時の温度分布を求め、温度が低下して行く過程でそのシェルモデル各部の応力がどのように変化するのかを求め、製品が常温まで低下したときの最終形状を予測する手法である。なお、２．５Ｄ反り変形解析ソフトは、シェルモデルの形状が厚みを考慮しない２次元モデルではあるが、その厚み方向の温度などを考慮できるようにした解析手法を採用している数値シミュレーションソフトである。
【０００４】
３Ｄ反り変形解析手法は、製品の３Ｄソリッドモデルを作成し、樹脂流動解析の結果、射出成形型から取り出した時の温度分布を求め、温度が低下して行く過程でその３Ｄソリッドモデル各部の応力がどのように変化するのかを求め、製品が常温まで低下したときの最終形状を予測する手法である。
【０００５】
上記いずれの手法を用いてもある程度の精度で反り変形の予測は可能である。下記特許文献１では、上記の２．５Ｄ反り解析手法を用いて製品の反り変形予測を行っているが、コーナー部の反り変形の予測精度を向上させるために、コーナー部の表面と裏面とで異なる熱伝達係数を適用し、熱収支の改善を図っている。
【特許文献１】特開２００２−２９２７０７号公報
【発明の開示】
【発明が解決しようとする課題】
【０００６】
しかしながら、２．５Ｄ反り変形解析手法を用いた場合には、コーナー部、Ｒ部における内側および外側の熱収支の演算を正確に行うことができないため、コーナー部、Ｒ部の内側と外側の収縮率の差による反り変形を正確に把握することができず、結果として反り変形の予測精度が悪化する。上記特許文献１では、この不具合を解消するためにコーナー部の表面と裏面とで異なる熱伝達係数を用いている。
【０００７】
さらに、２．５Ｄ反り変形解析手法を用いた場合には、コーナー部、Ｒ部の剛性と平板部の剛性との差別化ができないため、応力によるコーナー部、Ｒ部の変形量を正確に演算することができず、結果として反り変形の予測精度が悪化する。
【０００８】
一方、３Ｄ反り変形解析手法を用いた場合には、２．５Ｄ反り変形解析手法とは異なり、コーナー部、Ｒ部の熱収支や剛性の差別化を正確に計算することができるため、反り変形の予測精度としては高精度となる。ところが、３Ｄ反り変形解析手法を用いた場合には、要求精度に応じて製品の厚み方向の細かな要素分割を行う必要があり、その結果要素数が増加して、特にバンパーなどの薄肉大型部品の反り変形の予測には膨大な量の演算を行う必要がある。
【０００９】
本発明は、以上のような従来の問題点に鑑みて成されたものであり、製品の反り変形を少ない演算量で正確に予測することができる、射出成形品の変形解析方法の提供を目的とする。
【課題を解決するための手段】
【００１０】
上記目的を達成するための本発明に係る射出成形品の変形解析方法は、製品のＣＡＤデータに基づいて作成されたシェル要素から成る有限要素モデルに対し２．５次元の流動解析を行って当該製品各部の温度分布を予測する段階と、前記製品のＣＡＤデータに基づいて作成された前記製品の角部の断面形状の２次元の平面ひずみ要素から成る有限要素モデルに対し、当該予測された温度分布を初期条件として変形解析を行って当該断面形状の形状変化を演算する段階と、前記シェル要素から成る有限要素モデルを前記断面形状の形状変化に基づいて修正し、修正後の有限要素モデルに対し２．５次元の流動解析を行って前記製品の反り変形を演算する段階と、当該反り変形が反映された前記製品の最終的な形状を表示する段階と、を含むことを特徴とする。
【発明の効果】
【００１１】
以上のような構成の本発明に係る射出成形品の変形解析方法によれば、一般的に用いられている２．５次元の流動解析では考慮できない製品の角部における熱収支の影響および角部と平板部との剛性の差異の影響を考慮することができるため、２．５次元の流動解析を単に用いた場合よりも反り変形の解析精度が向上する。
【００１２】
また、２．５次元の流動解析をベースとして製品の断面の変形解析を追加するだけで反り変形の解析をすることができるため、演算量は２．５次元の流動解析を行う場合と変わらず、３次元の流動解析よりも少ない演算量で反り変形解析をすることができる。
【発明を実施するための最良の形態】
【００１３】
以下に、本発明に係る射出成形品の変形解析方法について詳細に説明する。
【００１４】
本発明に係る射出成形品の変形解析方法は、従来から用いられている２．５Ｄ反り変形解析手法を用いて製品コーナー部の反りを正確に再現できるようにし、結果的に３Ｄ反り変形解析手法を用いた場合よりも少ない演算量で３Ｄ反り変形解析手法を用いた場合と同程度の解析精度を得ることができるものである。
【００１５】
図１は、本発明に係る射出成形品の変形解析方法を実行する装置の概略構成を示すブロック図である。この装置は、製品ＣＡＤデータ記憶部１０、製品形状作成部１２、２Ｄ断面モデル作成部１４、製品シェルモデル作成部１６、２．５Ｄ流動解析部１８、熱伝達解析部２０、モデル修正用データベース２２、製品シェルモデル修正部２４、２．５Ｄ熱変形解析部２６および表示部２８を備えている。
【００１６】
製品ＣＡＤデータ記憶部１０は、たとえば射出成形品であるバンパーの形状データを記憶している。製品形状作成部１２は、製品ＣＡＤデータ記憶部１０に記憶されている形状データに基づいて製品形状、すなわちバンパーの形状を作成する。
【００１７】
２Ｄ断面モデル作成部１４は、製品形状作成部１２によって作成されたバンパーの形状のうち、角部の断面形状のみを取り出し、その断面形状に基づいて２次元の平面ひずみ要素から成る有限要素モデルを作成する。製品シェルモデル作成部１６は、製品形状作成部１２によって作成されたバンパーの形状に基づいてバンパーの肉厚中心の基準平面にシェル要素から成る有限要素モデルを作成する。
【００１８】
２．５Ｄ流動解析部１８は、製品シェルモデル作成部１６によって作成されたシェル要素から成る有限要素モデルに対して２．５次元の流動解析を行ってバンパー各部の温度分布を予測する。熱伝達解析部２０は、２Ｄ断面モデル作成部１４によって作成された２次元の平面ひずみ要素から成る有限要素モデルに対し、２．５Ｄ流動解析部１８によって予測されたバンパー各部の温度分布を初期条件として変形解析を行い、バンパーの角部の断面形状の形状変化を演算する。演算結果、すなわちバンパーの角部の断面形状の形状変化はモデル修正用データベース２２に記憶される。
【００１９】
モデル修正用データベース２２が記憶するバンパーの角部の断面形状の形状変化は、バンパーの角部の断面の縦の長さｔ１、横の長さｔ２、バンパーを射出成形する金型の温度Ｔｍ、バンパーの角部の熱伝導率λに対するバンパーの角部の断面形状の角度変化である。なお、バンパーの角部の断面の縦の長さｔ１、横の長さｔ２、バンパーの角部の熱伝導率λは製品ＣＡＤデータ記憶部１０に記憶されているデータから、金型の温度Ｔｍは２．５Ｄ流動解析部１８によって行われた２．５次元の流動解析の結果から、バンパーの角部の断面形状の角度変化は熱伝達解析部２０によって行われた変形解析の結果から、それぞれ取得される。
【００２０】
製品シェルモデル修正部２４は、モデル修正用データベース２２によって記憶されている、熱伝達解析部２０による変形解析の結果から得られたバンパーの角部の断面形状の角度変化に基づいて、製品シェルモデル作成部１６で作成されたシェル要素から成る有限要素モデルを修正する。２．５Ｄ熱変形解析部２６は、製品シェルモデル修正部２４によって修正された有限要素モデルに対し２．５次元の流動解析を行ってバンパーの反り変形を演算する。表示部２８は、２．５Ｄ熱変形解析部２６によって演算された、反り変形が反映されたバンパーの最終的な形状を表示する。
【００２１】
図２および図３は、本発明に係る射出成形品の変形解析方法の手順を示すフローチャートである。図２は、製品の角部の断面形状の角度変化を求めて、これをモデル修正用データベースとして記憶させるまでの処理を示している。図３は、モデル修正用データベースの記憶内容を参照して製品の完成形状を表示するまでの処置を示している。
【００２２】
まず、製品形状作成部１２は、製品ＣＡＤデータ記憶部１０に記憶されている製品の形状データを取り出して製品形状を作成する。たとえば、図４に示すような製品形状を作成する（Ｓ１）。
【００２３】
次に、製品シェルモデル作成部１６は、製品形状作成部１２によって作成された図４に示すような製品形状に基づいてバンパーの肉厚中心の基準平面に図５に示すようなシェル要素から成る有限要素モデルを作成する（Ｓ２）。
【００２４】
そして、２．５Ｄ流動解析部１８は、製品シェルモデル作成部１６によって作成された図５に示すようなシェル要素から成る有限要素モデルに対して２．５次元の流動解析を行って製品各部の温度分布を予測する。つまり、ある温度の樹脂を射出成形金型に注入し、図４に示すような製品をその金型から取り出した時の製品各部の温度がどのような温度になっているのかを予測する（Ｓ３）。
【００２５】
一方、２Ｄ断面モデル作成部１４は、製品形状作成部１２によって作成された製品形状のうち、角部の断面形状のみを取り出し、その断面形状に基づいて２次元の平面ひずみ要素から成る有限要素モデルを作成する。製品形状が図４に示すような形状であれば、２Ｄ断面モデル作成部１４は、製品の両側に存在する断面形状がＬ字形状となっているコーナー部を抽出し、そのコーナー部の断面から図６Ａ、Ｂに示すような形状の有限要素モデルを作成する（Ｓ４）。
【００２６】
熱伝達解析部２０は、２Ｄ断面モデル作成部１４によって作成された有限要素モデルに対し、Ｓ３のステップで予測された製品各部の温度分布を初期条件として、変形解析を行い、抽出したコーナー部の形状がどのように変化するのかを予測する。たとえば、コーナー部の断面が図７に示すような形状である場合、コーナー部が初期条件として与えられた温度から常温になるまでに、その形状がどのように変化するのかを予測する。形状の変化は図８に示すように、コーナー部の断面における角度変化として演算される（Ｓ５）。
【００２７】
熱伝達解析部２０は、形状解析の結果をモデル修正用データベース２２に記憶させる。記憶されるデータは、コーナー部の断面の縦の長さｔ１、横の長さｔ２（図７参照）、射出成形金型の温度Ｔｍ、コーナー部の熱伝導率λに対するコーナー部の断面における角度変化である（Ｓ６）。
【００２８】
次に、製品シェルモデル修正部２４は、モデル修正用データベース２２によって記憶されている形状解析の結果の中から適合するデータ、すなわち角度変化を取得する。たとえば、形状解析しようとする製品のコーナー部の断面の縦の長さがｔ１１、横の長さがｔ１２であり、射出成形金型の温度Ｔｍ１、コーナー部の熱伝導率λ１であったとし、モデル修正用データベース２２に記憶されているこれらの条件（コーナー部の断面の縦の長さがｔ１１、横の長さがｔ１２であり、射出成形金型の温度Ｔｍ１、コーナー部の熱伝導率λ１）に対応するコーナー部の断面における角度変化が３°であったとすれば、製品シェルモデル修正部２４は、この角度変化の３°のデータを取得する（Ｓ７）。
【００２９】
そして、製品シェルモデル修正部２４は、この取得したデータに基づいて製品シェルモデル作成部１６で作成された有限要素モデルの形状を修正する。たとえば、図９に示すように、製品シェルモデル作成部１６で作成された有限要素モデルＡを、取得したデータに基づいて有限要素モデルＢのように修正する（Ｓ８）。
【００３０】
２．５Ｄ熱変形解析部２６は、製品シェルモデル修正部２４によって修正された有限要素モデル（図９の有限要素モデルＢ）に対し２．５次元の流動解析を行って製品の反り変形を演算する（Ｓ９）。そして最後に、表示部２８は、２．５Ｄ熱変形解析部２６によって演算された、反り変形が反映された製品の最終的な完成形状を表示する（Ｓ１０）。
【００３１】
なお以上の実施の形態では、モデル修正用データベース２２に記憶させるデータを作成する処理も本発明に係る射出成形品の変形解析方法に含めたが、モデル修正用データベース２２があらかじめ作成されている場合には、本発明に係る射出成形品の変形解析方法は図３のフローチャートに示した手順となる。
【００３２】
図１０に示すように、ＣＡＤデータから作成した２次元の平面ひずみ要素から成る有限要素モデル（図１０では細い実線で示されているＣＡＤデータから作成したメッシュ）は角部の角度が直角であるが、角部の歪みを考慮してそれを修正した有限要素モデル（図１０では太い実線で示されている２Ｄ熱変形解析の結果を反映したモデル）はその角部の角度が小さくなっている。さらに、修正した有限要素モデルに２．５次元の形状解析を行うと、図１０では点線で示されるような形状が得られる。
【００３３】
以上のように、本発明では、射出成形を行って型から取り出した製品が常温まで冷却されたときの製品の完成形状を、複雑な演算を行うことなく、高精度で予測することができる。
【産業上の利用可能性】
【００３４】
本発明に係る射出成形品の変形解析方法は、演算量を抑えつつ高精度の解析が可能であるので、成形品の形状予測分野において有用である。
【図面の簡単な説明】
【００３５】
【図１】本発明に係る射出成形品の変形解析方法を実行する装置の概略構成を示すブロック図である。
【図２】本発明に係る射出成形品の変形解析方法の手順を示すフローチャートである。
【図３】本発明に係る射出成形品の変形解析方法の手順を示すフローチャートである。
【図４】本発明に係る射出成形品の変形解析方法の説明に供する図である。
【図５】本発明に係る射出成形品の変形解析方法の説明に供する図である。
【図６】本発明に係る射出成形品の変形解析方法の説明に供する図である。
【図７】本発明に係る射出成形品の変形解析方法の説明に供する図である。
【図８】本発明に係る射出成形品の変形解析方法の説明に供する図である。
【図９】本発明に係る射出成形品の変形解析方法の説明に供する図である。
【図１０】本発明に係る射出成形品の変形解析方法の説明に供する図である。
【符号の説明】
【００３６】
１０    製品ＣＡＤデータ記憶部、
１２    製品形状作成部、
１４    ２Ｄ断面モデル作成部、
１６    製品シェルモデル作成部、
１８    ２．５Ｄ流動解析部、
２０    熱伝達解析部、
２２    モデル修正用データベース、
２４    製品シェルモデル修正部、
２６    ２．５Ｄ熱変形解析部、
２８    表示部。
【図１】
2005280033.tif 000002
【図２】
2005280033.tif 000003
【図３】
2005280033.tif 000004
【図７】
2005280033.tif 000005
【図８】
2005280033.tif 000006
【図１０】
2005280033.tif 000007
【図４】
2005280033.tif 000008
【図５】
2005280033.tif 000009
【図６】
2005280033.tif 000010
【図９】
2005280033.tif 000011